(57)【要約】【課題】    複数のエアーバッグを順次連続的にスムーズに膨縮させ、施療部に滑らかな感覚のマッサージを行い、マッサージ効率の向上を図る事ができるエアーマッサージ装置を提供する。【解決手段】    マット部１に配設した複数のエアーバッグＡ・Ｂを二個のエアー給排気装置６・７で交互に膨縮するように構成した。複数のエアーバッグＡ・Ｂを順次膨縮させる場合、第一のエアーバッグＡ１は第一のエアー給排気装置６で膨縮させ、第二のエアーバッグＢ１は第二のエアー給排気装置７で稍時間差を介して順次膨縮させ、これに連続する複数のエアーバッグＡ２，Ｂ２，・・・Ａ８，Ｂ８も同様に稍時間差を介して順次膨縮させることができる。これにより、複数のエアーバッグは順次連続的にスムーズに膨縮を繰り返し、施療部に連続した滑らかなマッサージを行わせる事ができる。【選択図】      図２
2006150110.tif 000002
【特許請求の範囲】
【請求項１】
複数のエアーバッグを配備し、これらのエアーバッグに連通するエアー給排気装置を少なくとも二以上設けると共に、該エアー給排気装置を制御する制御部を備えたエアーマッサージ装置であって、前記制御部でエアー給排気装置によるエアーバッグへの給排スピードや給排量を選択できるようにした事を特徴とするエアーマッサージ装置。
【請求項２】
複数のエアーバッグを配備し、これらのエアーバッグに連通するエアー給排気装置を少なくとも二以上設けると共に、該エアー給排気装置を制御する制御部を備えたエアーマッサージ装置であって、前記制御部は、エアー給排気装置によりエアーバッグの往復移動膨縮や反復移動膨縮の他、ポイント膨縮や不定移動膨縮を行わせることができる制御部であることを特徴とするエアーマッサージ装置。
【請求項３】
請求項１又は請求項２記載のエアーマッサージ装置は、左右側端に隆起状に形成されたガード部を備え、その内部側に複数のエアーバッグを配備してある事を特徴とする請求項１又は請求項２記載のエアーマッサージ装置。
【請求項４】
請求項１又は請求項２記載のエアーマッサージ装置は、肩部に対応するエアーバッグが傾斜状に設けてある事を特徴とする請求項１又は請求項２記載のエアーマッサージ装置。
【請求項５】
請求項１乃至請求項４記載のエアーマッサージ装置は、座部と背凭れ部を有する椅子である事を特徴とする請求項１乃至請求項４記載のエアーマッサージ装置。
【発明の詳細な説明】
【技術分野】
【０００１】
本発明は、エアーの給排気によって膨縮する複数のエアーバッグによって施療部をマッサージするようにするエアーマッサージ装置に関するものである。
【背景技術】
【０００２】
従来のローラ式マッサージ装置は、ベッドや椅子等の内部にモータ等の駆動機構によりマッサージ用ローラを往復動させるようにした機械式マッサージ装置が内装されており、このマッサージ用ローラが施療部に当接しながら往復動するようにしたものがほとんであった。
【０００３】
しかし、このような従来のローラ式マッサージ装置では、内部に重量物でしかも硬性な材料で製作されたマッサージ機構を内装しているため、全体重量が重く運搬に不便であると共に、外形状も内部のマッサージ装置の形状に左右されるという問題が有った。
【０００４】
近年では、このような従来の問題点を解決すべく、マット部に複数のエアーバッグを配設し、エアー給排気装置で各エアーバッグに順次エアーを給排気するようにしたエアーローラと称すマット型エアーマッサージ装置や、椅子の背凭れ部内や座部にエアーバッグを配設する他、Ｗ字状に形成された足載台の両側にエアーバッグを配設し、エアー給排気装置で各エアーバッグに順次エアーを給排気するようにしたエアーチェアと称す椅子型エアーマッサージ装置（特開平７−１１６２１４号、特開平７−１２４２１２号、特開平７−１１４２１４号、特開平８−３３６５６４号、特開平８−３３６５６５号、特開平１０−１１８１４１号、特開平１１−９６３９号、他）が開発されており、これらは既に周知になっている。
【特許文献１】特開平７−１１６２１４号公報
【特許文献２】特開平７−１２４２１２号公報
【特許文献３】特開平７−１１４２１４号公報
【特許文献４】特開平８−３３６５６４号公報
【特許文献５】特開平８−３３６５６５号公報
【特許文献６】特開平１０−１１８１４１号公報
【特許文献７】特開平１１−９６３９号公報
【０００５】
すなわち、これらのものは、上記したように従来の機械式マッサージ機に比べて、全体重量が軽量で、どのような形状のものにも内装できると共に、折り畳み可能で持ち運び容易で有り、しかも、首部・肩部・背中部・腰部の他、臀部・尻部・大腿部や足のふくらはぎ部等に亘る広域範囲を、これらに対応するよう任意に配設されたエアーバッグを適宜に膨縮させることで、施療部を快適にマッサージできるという利点がある。
【発明の開示】
【発明が解決しようとする課題】
【０００６】
しかし、この種の従来のエアーマッサージ装置にあっては、一種一台のエアー給排気装置しか備えていないため、複数のエアーバッグを順次膨縮させて施療部をマッサージする場合には、第一エアーバッグから順次膨縮を繰り返すようにしており、第一エアーバッグを膨張させてから第二エアーバッグを膨張させる過程で、先の第一のエアーバッグを縮小させると同時に第二エアーバッグが膨張するという作業を繰り返す必要がある。
【０００７】
従って、このように各エアーバッグを連続して膨縮させる場合には、第一のエアーバッグを膨張させてから、次に第二のエアーバッグを膨張させる必要があるため、第一のエアーバッグの膨張終了後に第二のエアーバッグの膨張させる過程において、給排気装置からの空気送給の切換に時間を要し、連続して順次スムーズに膨張させる事ができないという問題があり、従来の機械式マッサージ装置のようなマッサージ用ローラによるスムーズな連続マッサージが行えない断続的な感覚の給排気になっていた。
【０００８】
本発明は、上記のような複数のエアーバッグを備えたエアーマッサージ装置において、複数のエアーバッグを順次連続的にスムーズに膨縮させ、施療部に滑らかな感覚のマッサージを行えるようにし、マッサージ効率の向上を図る事ができるエアーマッサージ装置を提供する事を目的とするものである。
【課題を解決するための手段】
【０００９】
すなわち、本発明のエアーマッサージ装置は、複数のエアーバッグと、これらのエアーバッグに連通するエアー給排気装置とを備えるエアーマッサージ装置であって、前記エアー給排気装置を少なくとも二以上設けて構成する事を特徴とするものである。
【００１０】
また、本発明のエアーマッサージ装置は、前記エアー給排気装置を二個設け、第一のエアー給排気装置は前記エアーバッグの奇数番目を各々連通し、第二のエアー給排気装置は前記エアーバッグの偶数番目に各々連通するよう構成する事を特徴とするものでもある。
【００１１】
更に本発明のエアーマッサージ装置は、前記エアー給排気装置を複数個設け、各エアー給排気装置と前記各エアーバッグが順次交互に繰り返し連通するよう構成する事を特徴とするものである。
【発明の効果】
【００１２】
よって、本発明によれば、少なくとも二以上のエアー給排気装置で複数のエアーバッグを順次交互に給排気するようにしてあるので、各エアーバッグを順次スムーズに膨縮させ、滑らかで連続的或いはアトランダムな膨縮を任意に行わせる事ができ、各エアーバッグの膨張移動に断続間隔を生じる事はなく、施療部に対する連続的で滑らかなマッサージをすることができる。
【００１３】
本発明のエアーマッサージ装置は、上記のように構成する事により、以下のような作用をもたらすものである。
すなわち、本発明は、複数のエアーバッグを備え、この複数のエアーバッグに連通するエアー給排気装置を少なくとも二以上設けて構成しているため、例えばエアー給排気装置は三個の場合には、複数のエアーバッグを順次膨縮させてマッサージする場合、任意のエアーバッグと第一のエアー給排気装置を連通させ、該エアーバッグ以外の任意のエアーバッグと第二のエアー給排気装置を連通させ、更に前記各エアーバッグ以外の任意のエアーバッグと第三のエアー給排気装置を連通させることができ、第一乃至第三のエアー給排気装置を順次稼動させることで、各エアーバッグの膨縮を滑らかで連続的或いはアトランダムに順次膨縮させる事ができ、施療部に連続的で滑らかなマッサージをすることができる。
【００１４】
また、本発明では、前記エアー給排気装置を二個設け、第一のエアー給排気装置は前記エアーバッグの奇数番目を各々連通し、第二のエアー給排気装置は前記エアーバッグの偶数番目に各々連通するよう構成しているため、前述したものと同様に、第一のエアーバッグを膨張させてから順次次々にエアーバッグを膨張させる迄に、断続的な時間差を生じる事はなく、施療部に連続的で滑らかなマッサージをすることができる。
【００１５】
更に、本発明は、前記エアー給排気装置を複数個設け、各エアー給排気装置と前記各エアーバッグが順次交互に繰り返し連通するよう構成しているため、例えばエアー給排気装置が三個の場合には、複数のエアーバッグを順次膨縮させてマッサージする場合に、第（一＋三×ｎ番目［但しｎ≧０］）のエアーバッグは第一のエアー給排気装置で膨縮させ、第（二＋三×ｎ番目［但しｎ≧０］）のエアーバッグは第二のエアー給排気装置で同時或いは稍時間差を介して膨縮させることができ、第（三＋三×ｎ番目［但しｎ≧０］）のエアーバッグは第三のエアー給排気装置で同時或いは稍時間差を介して膨縮させることができ、よって、第一のエアーバッグを膨張させてから順次次々に各エアーバッグを膨張させる迄に、断続的な時間差を生じる事はなく、施療部に連続的で滑らかなマッサージをすることができる。
【実施例】
【００１６】
以下、本発明に係るエアーマッサージ装置を図面に示す一実施例に基づき、これを詳細に説明する。
図１はエアーマッサージ装置の外観全体を示す斜視図であり、図２はエアーマッサージ装置の内部機構を示す概略説明図である。
【００１７】
図１及び図２ではマット式のエアーマッサージ装置を示しており、これはマット部１と駆動部２を備える。マット部１はその上面の前端に枕部３を、左右側端に転落防止用のガード部４・４をそれぞれ隆起状に形成してあり、その内部に複数個（図示例では１６個）のエアーバッグＡ・Ｂを、首部・肩部・背中部・腰部・臀部・大腿部・ふくらはぎ部、及び足首部の各部に対応するようエアーバッグＡ１，Ａ２・・・Ａ８、Ｂ１，Ｂ２・・・Ｂ８のように順次並べて配備させている。
【００１８】
４は、左右に設けられたガード部であり、の足元側には足押さえ用のバンド５を配備している。
【００１９】
２は駆動部であり、該駆動部２は、図２に示すように二個のエアー給排気装置６・７と、このエアー給排気装置６・７を制御するマイクロコンピューター等からなる制御部８とを備える。
【００２０】
前記各エアー給排気装置６・７はそれぞれエアーコンプレッサー９・１０と、これらのエアーコンプレッサー９・１０からのエアーを後述のエアーホース１１・１２を介して所定の順序でエアーバッグＡ，Ｂに分配して供給するロータリーバルブよりなる分配器１３・１４とから構成されている。
【００２１】
また、前記二個のエアー給排気装置６・７は、並行して駆動させることにより複数のエアーバッグＡ・Ｂを交互に給排気して膨縮させることができ、そのため例えば、図２のようにエアーバッグＡ・ＢがＡ１，Ｂ１，Ａ２，Ｂ２，Ａ３，Ｂ３・・・・Ａ８，Ｂ８の順に交互に並べられている場合、第一のエアー給排気装置６の分配器１３はエアーバッグＡ１・・・Ａ８にエアーホース１１を介して接続し、第二のエアー給排気装置７の分配器１４はエアーバッグＢ１・・・Ｂ８にエアーホース１２を介して接続している。
【００２２】
前記制御部８は、これに接続されたリモートコンロール１５（無線であっても良い）によって、前記各エアー給排気装置６・７の給排スピードや給排量を選択できるようにしており、また、前記各エアー給排気装置６・７に接続されたエアーバッグの給排稼動や給排休止を設定できるようにしている。
【００２３】
以上のように構成したエアーマッサージ装置を使用するにあっては、リモートコンロール１５を操作するだけで、制御部８を介して各エアー給排気装置６・７を稍時間差を設けて稼動させることができ、第一のエアー給排気装置６で第一のエアーバッグＡ１を膨張させて、該エアーバッグＡ１が膨張過程にある際に、第二のエアー給排気装置７で第二のエアーバッグＢ１を膨張させることができ、該エアーバッグＢ１が膨張過程にある際に第一の第一のエアー給排気装置６による第一のエアーバッグＡ１の収縮が完了していると共に分配器１３の切換が完了しているため、第一のエアー給排気装置６で第三のエアーバッグＡ２を膨張させ、該エアーバッグＡ２が膨張過程にある際に第一の第二のエアー給排気装置７による第二のエアーバッグＢ１の収縮が完了していると共に分配器１４の切換が完了しているため、第二のエアー給排気装置７で第四のエアーバッグＢ２を膨張させるという動作を繰り返し、第五以後の各エアーバッグＡ３，Ｂ３，Ａ４，Ｂ４，・・・・Ａ８，Ｂ８も同様な動作を行い、施療部に対し、各エアーバッグＡ１，Ｂ１，・・・・Ａ８，Ｂ８による連続した滑らかなマッサージを行わせることができるのである。
【００２４】
尚、上記実施例ではエアー給排気装置６・７が二個使用した例を示したが、該個数以上の台数のエアー給排気装置によっても使用でき、同様な設定により施療部に対する連続した滑らかなマッサージを行わせることができる。
【００２５】
また、上記実施例ではマット式のエアーマッサージ装置を示した例を示したが、座部と背凭れ部とを有する椅子にも同様に適用できるものであり、この場合には、座部及び背凭れ部の他、足載台等に複数のエアーバッグを配備させる事で、同様なエアーマッサージが行える。
【００２６】
更に、上記に例示していないが、エアーマッサージ装置のエアーバッグの膨縮移動については、マイコン等を装備させた制御部８を配備する事により、往復移動膨縮の他、反復移動膨縮及びポイント膨縮の他、不定移動膨縮を行わせることができるものであり、これらの動作は、エアー給排気装置の個数により限定されるものではない。
【図面の簡単な説明】
【００２７】
【図１】本発明のエアーマッサージ装置の一実施例を示す斜視図である。
【図２】本発明のエアーマッサージ装置における内部機構の一実施例を示す概略説明図である。
【符号の説明】
【００２８】
Ａ１，・・・Ａ８    エアーバッグ
Ｂ１，・・・Ｂ８    エアーバッグ
６                  エアー給排気装置
７                  エアー給排気装置
【図１】
2006150110.tif 000003
【図２】
2006150110.tif 000004